(57)【特許請求の範囲】
【請求項１】
移動局の位置情報の送信周期を設定可能である配信サーバから配信されるコンテンツ情報を受信可能な移動局であって、
所定の測位周期で位置情報を測位する測位手段と、
前記位置情報の前記配信サーバへの送信周期を前記配信サーバ側で設定した設定指示情報に基づいて設定し、前記設定された送信周期で前記位置情報を前記配信サーバに送信する位置通知手段と、
前記配信サーバから前記位置情報に対応したコンテンツ情報を受信すると共に、前記コンテンツ情報によって情報提供される場所を特定するためのコンテンツ位置情報を受信する受信手段と、
前記配信サーバから受信した複数のコンテンツ情報を前記コンテンツ位置情報に対応付けて記憶する情報蓄積手段と、
前記測位周期よりも短い出力周期で前記情報蓄積手段に記憶された前記コンテンツ情報を出力する出力制御手段と、
前記コンテンツ情報を出力するためのユーザの入力操作を受け付ける操作受付手段と、
前記出力周期の経過時間を計時するタイマ手段と、を備え、
前記出力制御手段は、前記タイマ手段で計時された時間に基づいて前記出力周期が経過したと判定する場合には、前記情報蓄積手段に記憶された前記コンテンツ情報のうち、前記移動局から前記配信サーバに送信された最新の前記位置情報に最も近い前記コンテンツ位置情報に対応する前記コンテンツ情報を出力すると共に、前記タイマ手段をリセットし、また、前記操作受付手段での入力操作を受け付けた場合には、前記情報蓄積手段に記憶された前記コンテンツ情報のうち、前記移動局から前記配信サーバに送信された最新の前記位置情報に最も近い前記コンテンツ位置情報に対応する前記コンテンツ情報を出力すると共に、前記タイマ手段をリセットすることを特徴とする移動局。
【請求項２】
前記配信サーバの設定に基づく前記送信周期を変更する送信周期変更手段と、
前記測位周期を設定変更する測位周期変更手段と、を更に備えることを特徴とする請求項１に記載の移動局。
【請求項３】
前記測位周期変更手段は、前記送信周期変更手段によって設定変更された前記送信周期に応じて前記測位周期を設定変更することを特徴とする請求項２に記載の移動局。
【請求項４】
電池の残量を検知する電池残量検出手段を更に備え、
前記送信周期変更手段は、前記電池残量検出手段によって検知された残量に応じて前記送信周期を設定変更し、
前記測位周期変更手段は、前記送信周期変更手段によって設定変更された前記送信周期と等しくなるように、または前記送信周期よりも短くなるように前記測位周期を設定変更することを特徴とする請求項３に記載の移動局。
【請求項５】
前記送信周期変更手段及び前記測位周期変更手段の少なくとも一方は、前記測位周期と前記送信周期とが等しく、または、前記測位周期が前記送信周期よりも短くなるように設定変更することを特徴とする請求項２〜４の何れか一項に記載の移動局。
【請求項６】
前記コンテンツ情報を出力している開状態及び前記コンテンツ情報の出力を停止している閉状態のうち、いずれの状態であるか否かを検出する端末開閉検出手段を更に備え、
前記送信周期変更手段または前記測位周期変更手段は、前記端末開閉検出手段によって検出された状態に応じて前記測位周期または前記送信周期を設定変更することを特徴とする請求項２〜５の何れか一項に記載の移動局。
【請求項７】
前記出力制御手段は、前記端末開閉検出手段によって検出された開閉状態に応じてコンテンツ情報の出力可否を制御することを特徴とする請求項６に記載の移動局。
【請求項８】
過去の測位の時刻情報と位置情報とを対応付けて測位履歴として蓄積する測位履歴蓄積手段と、
前記測位履歴蓄積手段によって蓄積された前記測位履歴のうち、最近の複数の測位履歴から前記移動局の移動速度を推定する移動速度推定手段と、を更に備え、
前記送信周期変更手段または前記測位周期変更手段は、前記移動速度推定手段によって推定された移動速度に応じて前記測位周期または前記送信周期を設定変更することを特徴とする請求項２〜５の何れか一項に記載の移動局。
【請求項９】
前記出力制御手段は、前記情報蓄積手段に記憶された複数のコンテンツ情報のうち、最新の前記位置情報に近い順番でコンテンツ位置情報に対応したコンテンツ情報を抽出し、抽出した順番で前記コンテンツ情報を出力することを特徴とする請求項１〜８の何れか一項に記載の移動局。
【請求項１０】
請求項１〜９の何れか一項に記載の移動局と、
前記移動局から周期的に送信される前記位置情報の送信周期を設定する送信周期設定手段を有する配信サーバと、を備えたことを特徴とする配信システム。
【請求項１１】
前記配信サーバの前記送信周期設定手段は、前記測位周期よりも長くなるように前記送信周期を設定することを特徴とする請求項１０に記載の配信システム。
【請求項１２】
前記配信サーバは、前記位置情報から特定される前記移動局の測位位置が、所定の配信エリア内にあるときは前記配信エリアに対応したコンテンツ情報を送信する配信制御手段を更に有し、
前記配信サーバの前記送信周期設定手段は、前記移動局の測位位置から前記配信エリアまでの距離が所定の閾値未満の場合には、前記送信周期を基準時間間隔となるように設定し、前記移動局の測位位置から前記配信エリアまでの距離が所定の閾値以上の場合には、前記基準時間間隔よりも長い時間間隔となるように前記送信周期を設定することを特徴とする請求項１０または１１に記載の配信システム。
【請求項１３】
所定の測位周期で位置情報を測位する移動局と、前記移動局から送信された前記位置情報に対応したコンテンツ情報を前記移動局に配信する配信サーバとを備えた配信システムにおいて実行される配信方法であって、
前記移動局から周期的に送信される前記位置情報の送信周期を前記配信サーバが設定する送信周期設定ステップと、
前記移動局の位置情報を所定の測位周期で前記移動局が測位する測位ステップと、
前記送信周期設定ステップで設定された送信周期で前記移動局が前記位置情報を前記配信サーバに送信する位置通知ステップと、
前記送信周期に合わせて前記移動局から送信される位置情報に対応したコンテンツ情報を前記配信サーバが前記移動局に送信するコンテンツ情報送信ステップと、
前記移動局が前記配信サーバから前記位置情報に対応したコンテンツ情報を受信すると共に、前記コンテンツ情報によって情報提供される場所を特定するためのコンテンツ位置情報を受信する情報受信ステップと、
前記配信サーバから受信した複数のコンテンツ情報を前記コンテンツ位置情報に対応付けて前記移動局が記憶する情報蓄積ステップと、
前記測位周期よりも短い出力周期で前記情報蓄積ステップにより記憶された前記コンテンツ情報を前記移動局が出力する出力制御ステップと、
前記コンテンツ情報を出力するためのユーザの入力操作を前記移動局が受け付ける操作受付ステップと、
前記出力周期の経過時間を前記移動局が計時するタイマ計時ステップと、を備え、
前記出力制御ステップでは、前記タイマ計時ステップで計時された時間に基づいて前記出力周期が経過したと判定する場合には、前記移動局から前記配信サーバに送信された最新の前記位置情報に最も近い前記コンテンツ位置情報に対応する前記コンテンツ情報を出力すると共に、前記タイマ計時ステップでの計時をリセットし、また、前記操作受付ステップで入力操作を受け付けた場合には、前記移動局から前記配信サーバに送信された最新の前記位置情報に最も近い前記コンテンツ位置情報に対応する前記コンテンツ情報を出力すると共に、前記タイマ計時ステップでの計時をリセットすることを特徴とする配信方法。
【発明の詳細な説明】
【技術分野】
【０００１】
本発明は、携帯電話やＰＨＳなどの移動局から送信された位置情報に対応したコンテンツ情報を移動局に配信する配信サーバ、移動局、配信システム及び配信方法に関する。
【背景技術】
【０００２】
特定の配信エリア内に存在する携帯電話などに、そのエリア情報などを含むコンテンツ情報を配信するシステムが知られている（特許文献１参照）。このシステムでは、配信サーバが携帯電話から位置情報を取得し、その位置情報に基づいて携帯電話が特定のエリアに存在するか否かを判断し、存在する場合には特定のエリアに対応する具体的な情報を配信する。
【特許文献１】特開２００２−２１６０２１号公報
【発明の開示】
【発明が解決しようとする課題】
【０００３】
しかしながら、従来のシステムでは、位置情報に対応してどのようなコンテンツ情報が送信されるかを移動局側で事前に確認することができなかった。したがって、配信されるコンテンツ情報に変化がないような場合であっても定期的な位置情報の送信が必要になり、また、無駄なコンテンツ情報の送信にもつながり易く、効率が悪かった。
【０００４】
そこで、本発明は、コンテンツ情報の効率的な送信や受信を可能にする配信サーバ、移動局、配信システム及び配信方法を提供することを目的とする。
【課題を解決するための手段】
【０００５】
以上の課題を解決するため、本発明に係る移動局は、移動局の位置情報の送信周期を設定可能である配信サーバから配信されるコンテンツ情報を受信可能な移動局であり、所定の測位周期で位置情報を測位する測位手段と、位置情報の配信サーバへの送信周期を配信サーバ側で設定した設定指示情報に基づいて設定し、設定された送信周期で位置情報を配信サーバに送信する位置通知手段と、配信サーバから位置情報に対応したコンテンツ情報を受信すると共に、コンテンツ情報によって情報提供される場所を特定するためのコンテンツ位置情報を受信する受信手段と、配信サーバから受信した複数のコンテンツ情報をコンテンツ位置情報に対応付けて記憶する情報蓄積手段と、測位周期よりも短い出力周期で情報蓄積手段に記憶されたコンテンツ情報を出力する出力制御手段と、コンテンツ情報を出力するためのユーザの入力操作を受け付ける操作受付手段と、出力周期の経過時間を計時するタイマ手段と、を備えている。そして、この移動局では、出力制御手段は、タイマ手段で計時された時間に基づいて出力周期が経過したと判定する場合には、情報蓄積手段に記憶されたコンテンツ情報のうち、移動局から配信サーバに送信された最新の位置情報に最も近いコンテンツ位置情報に対応するコンテンツ情報を出力すると共に、タイマ手段をリセットし、また、操作受付手段での入力操作を受け付けた場合には、情報蓄積手段に記憶されたコンテンツ情報のうち、移動局から配信サーバに送信された最新の位置情報に最も近いコンテンツ位置情報に対応するコンテンツ情報を出力すると共に、タイマ手段をリセットすることを特徴としている。
【０００６】
この移動局によれば、位置情報の送信周期は配信サーバ側で管理できるようになる。位置情報に対応したコンテンツ情報の送信は配信サーバが担っており、位置情報の送信周期を配信サーバ側で管理できるようになると、移動局に送信するコンテンツ情報と送信周期とは配信サーバ側で連動して管理され、移動局での無駄な位置情報の送信が軽減してコンテンツ情報の効率的な受信が可能になる。また、この移動局では、測位周期よりも短い出力周期でコンテンツ情報が出力されるため、測位周期よりも長い周期で出力するよりもコンテンツ情報の報知回数を増やすことができる。そして、この移動局は、出力周期の経過の他に、ユーザの入力操作に応じて最新の位置情報に最も近いコンテンツ位置情報に対応するコンテンツ情報が出力されるので、ユーザの利便性を高めることができ、さらに、ユーザの入力操作によるコンテンツ情報が出力されたときにタイマ手段がリセットされるので、コンテンツ情報が出力された直後に、出力周期の経過による同じコンテンツ情報の出力が防止される。
【０００７】
さらに、上記の移動局は、配信サーバの設定に基づく送信周期を変更する送信周期変更手段と、測位周期を設定変更する測位周期変更手段とを更に備えると好適である。この場合、送信周期の設定変更と測位周期の設定変更が可能になり、効率的なコンテンツ情報の受信が可能となる。また、測位周期変更手段が、送信周期変更手段によって設定変更された送信周期に応じて測位周期を設定変更することが更に好ましい。この場合、設定変更された送信周期に応じた測位周期への設定変更が可能になり、更に効率的なコンテンツ情報の受信が可能となる。
【０００８】
さらに、上記の移動局は、電池の残量を検知する電池残量検出手段を更に備え、送信周期変更手段は、電池残量検出手段によって検知された残量に応じて送信周期を設定変更し、測位周期変更手段は、送信周期変更手段によって設定変更された送信周期と等しくなるように、または送信周期よりも短くなるように測位周期を設定変更すると好適である。電池の残量に応じて送信周期が設定変更され、さらに、設定変更後の送信周期と等しくなるように、または送信周期よりも短くなるように測位周期が変更されるので、電池の浪費防止に有効である。
【０００９】
さらに、上記の移動局では、送信周期変更手段及び測位周期変更手段の少なくとも一方は、測位周期と送信周期とが等しく、または、測位周期が送信周期よりも短くなるように設定変更すると好適である。測位周期と送信周期とが等しく、または、測位周期が送信周期よりも短くなるように設定変更されるので、１の測位周期における測位結果に基づく同じ位置情報が複数回にわたって送信されることがなくなる。これにより、同じコンテンツ情報を複数回にわたって受信することを減らして、効率的なコンテンツ情報の受信が可能となる。
【００１０】
さらに、上記の移動局は、コンテンツ情報を出力している開状態及びコンテンツ情報の出力を停止している閉状態のうち、いずれの状態であるか否かを検出する端末開閉検出手段を更に備え、送信周期変更手段または測位周期変更手段は、端末開閉検出手段によって検出された状態に応じて測位周期または送信周期を設定変更すると好適である。端末開閉検出手段によって検出された状態、例えば、閉状態であれば、コンテンツ情報の出力を停止しているため、開状態に比べて測位周期を長くするように設定変更できる。そして、測位周期の設定変更に合わせて送信周期を長くする設定変更を行うことにより、所定時間あたりの送信回数を減らして電池の消耗を抑えつつ、効率的な測位も行うことができる。
【００１１】
さらに、上記の移動局では、出力制御手段が、端末開閉検出手段によって検出された開閉状態に応じてコンテンツ情報の出力可否を制御すると好適である。
【００１２】
また、上記の移動局は、過去の測位の時刻情報と位置情報とを対応付けて測位履歴として蓄積する測位履歴蓄積手段と、測位履歴蓄積手段によって蓄積された測位履歴のうち、最近の複数の測位履歴から移動局の移動速度を推定する移動速度推定手段と、を更に備え、送信周期変更手段または測位周期変更手段は、移動速度推定手段によって推定された移動速度に応じて測位周期または送信周期を設定変更すると好適である。移動速度推定手段によって推定された移動速度に応じて、例えば、最近の複数の測位履歴から推定した現在の移動速度と過去に推定した移動速度とを比較して、現在の移動速度の方が速ければ、測位位置の変化が早くなるため、測位周期を短くするように設定変更する。しかも、測位周期の設定変更に合わせて送信周期も短くする設定変更を行うことにより、精度の高い測位と、効率的なコンテンツ情報の受信が可能になる。
【００１３】
さらに、上記の移動局では、出力制御手段は、情報蓄積手段に記憶された複数のコンテンツ情報のうち、最新の位置情報に近い順番でコンテンツ位置情報に対応したコンテンツ情報を抽出し、抽出した順番でコンテンツ情報を出力すると好適である。
【００１４】
また、本発明に係る配信システムは、上記の移動局と、移動局から周期的に送信される位置情報の送信周期を設定する送信周期設定手段を有する配信サーバと、を備えたことを特徴としている。
【００１５】
この配信システムでは、移動局に送信するコンテンツ情報と送信周期とを配信サーバ側で連動させて管理できるようになり、移動局での無駄な位置情報の送信を軽減してコンテンツ情報の効率的な送信または移動局でのコンテンツ情報の受信が可能になる。
【００１６】
さらに、上記配信システムでは、配信サーバの送信周期設定手段は、測位周期よりも長くなるように送信周期を設定すると好適である。移動局での測位は周期的に行われている。上記構成とすることで、一回の結果としての同じ位置情報が何度も配信サーバに送信されてしまうということが抑止され、同じコンテンツ情報を移動局に何度も送信してしまうことが軽減される。
【００１７】
さらに、上記配信システムでは、位置情報から特定される移動局の測位位置が、所定の配信エリア内にあるときは配信エリアに対応したコンテンツ情報を送信する配信制御手段を配信サーバが更に有し、配信サーバの送信周期設定手段は、移動局の測位位置から配信エリアまでの距離が所定の閾値未満の場合には、送信周期を基準時間間隔となるように設定し、移動局の測位位置から配信エリアまでの距離が所定の閾値以上の場合には、基準時間間隔よりも長い時間間隔となるように送信周期を設定すると好適である。移動局の測位位置から配信エリアまでの距離が所定の閾値以上の場合には、所定の閾値未満の場合に比べて配信エリアから遠いと判断でき、その分、上記の配信エリアに到達するまでの時間に余裕がある。したがって、所定の閾値以上の場合に送信周期を基準時間間隔よりも長くすることで、移動局からの無駄な位置情報の送信が少なくなり、効率的なコンテンツ情報の送信が可能になる。
【００１８】
また、本発明に係る配信方法は、所定の測位周期で位置情報を測位する移動局と、移動局から送信された位置情報に対応したコンテンツ情報を移動局に配信する配信サーバとを備えた配信システムにおいて実行される配信方法であって、移動局から周期的に送信される位置情報の送信周期を配信サーバが設定する送信周期設定ステップと、移動局の位置情報を所定の測位周期で移動局が測位する測位ステップと、送信周期設定ステップで設定された送信周期で移動局が位置情報を配信サーバに送信する位置通知ステップと、送信周期に合わせて移動局から送信される位置情報に対応したコンテンツ情報を配信サーバが移動局に送信するコンテンツ情報送信ステップと、移動局が配信サーバから位置情報に対応したコンテンツ情報を受信すると共に、コンテンツ情報によって情報提供される場所を特定するためのコンテンツ位置情報を受信する情報受信ステップと、配信サーバから受信した複数のコンテンツ情報をコンテンツ位置情報に対応付けて移動局が記憶する情報蓄積ステップと、測位周期よりも短い出力周期で情報蓄積ステップにより記憶されたコンテンツ情報を移動局が出力する出力制御ステップと、コンテンツ情報を出力するためのユーザの入力操作を移動局が受け付ける操作受付ステップと、出力周期の経過時間を移動局が計時するタイマ計時ステップと、を備えている。そして、この配信方法では、出力制御ステップにおいて、タイマ計時ステップで計時された時間に基づいて出力周期が経過したと判定する場合には、移動局から配信サーバに送信された最新の位置情報に最も近いコンテンツ位置情報に対応するコンテンツ情報を出力すると共に、タイマ計時ステップでの計時をリセットし、また、操作受付ステップで入力操作を受け付けた場合には、移動局から配信サーバに送信された最新の位置情報に最も近いコンテンツ位置情報に対応するコンテンツ情報を出力すると共に、タイマ計時ステップでの計時をリセットすることを特徴としている。
【００１９】
この配信方法では、移動局に送信するコンテンツ情報と送信周期とを配信サーバ側で連動させて管理できるようになり、移動局での無駄な位置情報の送信を軽減してコンテンツ情報の効率的な送信または移動局でのコンテンツ情報の受信が可能になる。また、測位周期よりも短い出力周期でコンテンツ情報が出力されるため、測位周期よりも長い周期で出力するよりもコンテンツ情報の報知回数を増やすことができる。そして、出力周期の経過の他に、ユーザの入力操作に応じて最新の位置情報に最も近いコンテンツ位置情報に対応するコンテンツ情報が出力されるので、ユーザの利便性を高めることができ、さらに、ユーザの入力操作によるコンテンツ情報が出力されたときにタイマ計時ステップにおいてリセットされるので、コンテンツ情報が出力された直後に、出力周期の経過による同じコンテンツ情報の出力が防止される。
【発明の効果】
【００２２】
本発明は、コンテンツ情報を効率的に送信または受信できる。
【発明を実施するための最良の形態】
【００２３】
以下、図面を参照しつつ本発明に係る配信システムの好適な実施形態について説明する。
【００２４】
（第１実施形態）
図１は、第１実施形態に係る配信システムの機能的構成を示す図である。また、図２は、携帯端末２のハードウェア構成を示す図である。配信システム１は、携帯電話やＰＨＳなどの携帯端末（移動局）２と、移動体通信網を介して携帯端末２に接続されている配信サーバ３と、を備えている。
【００２５】
携帯端末２は、物理的には、図２に示されるように、ＣＰＵ２１、ＲＯＭ２２、ＲＡＭ２３、操作パネルやコントローラなどの操作手段からなる入力デバイス２４、所定の画像を出力する画面などの表示手段からなる出力デバイス２５、データ送受信デバイスである通信モジュール２６、補助記憶装置２７、ＧＰＳ受信モジュール２８及び電源ユニット２９などを備える。電源ユニット２９には、電池２９ａ及び電池２９ａのＯＮ／ＯＦＦを制御するコントローラが組み込まれている。
【００２６】
また、図１に示されるように、携帯端末２は、機能的な構成として通信手段２ａ、測位手段２ｂ及び位置通知手段２ｅを備える。さらに、携帯端末２は、情報蓄積手段２ｄ、出力制御手段２ｃ、測位周期変更手段２ｆ、送信周期変更手段２ｇ、電池残量検出手段２ｈ、操作受付手段２ｊを備える。さらに、携帯端末２は、Ｔ１タイマ２ｋ、Ｔ２タイマ２ｍ及びＴ３タイマ２ｎを備える。これらの各機能は、ＣＰＵ２１（図２参照）、ＲＡＭ２３等のハードウェア上に所定のソフトウェアを読み込ませることにより、ＣＰＵ２１の制御のもとで、通信モジュール２６、入力デバイス２４及び出力デバイス２５を動作させるとともにＲＡＭ２３におけるデータの読み出し及び書き込みを行うことで実現される。
【００２７】
通信手段２ａは、他の携帯端末や固定電話などとの通話やメールなどの送受信を行うための機能である。
【００２８】
測位手段２ｂは、Ｔ２タイマ２ｍによってカウント（計時）される時間を監視し、Ｔ２タイマ２ｍでのカウント値が所定の測位周期Ｔ２の時間間隔、例えば５分に到達すると測位周期Ｔ２が経過したと判定してＧＰＳ測位を行う。さらに、測位手段２ｂは、ＧＰＳ測位で取得した位置情報を測位時刻に対応付けて情報蓄積手段２ｄに記憶させる。ＧＰＳ測位では、少なくとも３以上のＧＰＳ衛星からのデータに基づいて緯度、経度を割り出して、携帯端末２の位置情報を求める。なお、ＧＰＳ測位の代わりに、単一局測位、ＧＰＳ測位と単一局測位との組み合わせ、複数局測位などによる測位を実行するようにしてもよい。測位手段２ｂは、ＧＰＳ測位の後、Ｔ２タイマ２ｍをリセットする。
【００２９】
位置通知手段２ｅは、Ｔ１タイマ２ｋによってカウント（計時）される時間を監視し、Ｔ１タイマ２ｋでのカウント値が所定の送信周期Ｔ１の時間間隔、例えば１２分に到達すると送信周期Ｔ１が経過したと判定し、情報蓄積手段２ｄに蓄積された位置情報のうち、測位時刻が最新の位置情報を抽出して配信サーバ３に送信する。位置通知手段２ｅは、位置情報を送信した後、Ｔ１タイマ２ｋをリセットする。さらに、位置通知手段２ｅは、送信周期Ｔ１の設定指示情報を配信サーバ３から受信すると、その設定指示情報に基づいて送信周期Ｔ１の設定を行う。
【００３０】
情報蓄積手段２ｄは、測位手段２ｂで取得された位置情報を測位時刻に対応付けて記憶し、複数の位置情報を保存する。さらに、配信サーバ３から送信されたコンテンツ情報と、そのコンテンツ情報によって情報提供される場所を特定するためのコンテンツ位置情報とを対応付けて記憶し、複数のコンテンツ情報を保存する。
【００３１】
出力制御手段２ｃは、Ｔ３タイマ２ｎによってカウント（計時）される時間を監視し、Ｔ３タイマ２ｎでのカウント値が所定の出力周期Ｔ３の時間間隔、例えば１２分に到達すると出力周期Ｔ３が経過したと判定し、情報蓄積手段２ｄに蓄積されたコンテンツ情報のうち、情報蓄積手段２ｄに記憶された最新の位置情報に最も近いコンテンツ位置情報に対応するコンテンツ情報を抽出して画面などの出力デバイス２５に表示させる。その結果として、最寄りのコンテンツ情報が実際にユーザの目に触れやすいように画面に表示されるようになる。なお、出力制御手段２ｃは、情報蓄積手段２ｄに記憶された複数のコンテンツ情報のうち、最新の位置情報に最も近いコンテンツ位置情報に対応するコンテンツ情報の他に、最新の位置情報に近い順番でコンテンツ位置情報に対応したコンテンツ情報を抽出し、抽出した順番でコンテンツ情報を画面などの出力デバイス２５に表示させようにしてもよい。
【００３２】
また、出力制御手段２ｃは、操作受付手段２ｊを用いた操作入力を受け付けると、情報蓄積手段２ｄに蓄積されたコンテンツ情報のうち、最新の受信時刻のコンテンツ情報を抽出して画面などの出力デバイス２５に表示させる。出力制御手段２ｃは、コンテンツ情報を出力デバイス２５に表示させた後で、Ｔ３タイマ２ｎをリセットする。
【００３３】
測位周期変更手段２ｆは、測位周期Ｔ２を設定し、また設定変更するための機能である。送信周期変更手段２ｇは、配信サーバ３からの指示を受けて設定された送信周期Ｔ１を設定変更する機能である。
【００３４】
特に、送信周期変更手段２ｇは、電池残量検出手段２ｈによって検出された残量に応じて送信周期Ｔ１を設定変更し、測位周期変更手段２ｆは、送信周期変更手段２ｇによって設定変更された送信周期Ｔ１よりも短くなるように測位周期Ｔ２を設定変更する。例えば、送信周期変更手段２ｇは、電池２９ａの残量が所定の閾値よりも少なくなると、充電完了時の送信周期Ｔ１よりも時間間隔が長くなるように送信周期Ｔ１を設定変更する。
【００３５】
電池残量検出手段２ｈは、電源ユニット２９の電池２９ａの残量を検出する。操作受付手段２ｊは、コンテンツ情報を画面に表示させるためのユーザによる入力操作を受け付ける。
【００３６】
Ｔ１タイマ２ｋは、位置通知手段２ｅによってリセットが行われないかぎり継続してカウント（計時）し、位置通知手段２ｅによる送信周期Ｔ１の経過判定に利用される。Ｔ２タイマ２ｍは、測位手段２ｂによってリセットが行われないかぎり継続してカウント（計時）し、測位手段２ｂによる測位周期Ｔ２の経過判定に利用される。また、Ｔ３タイマ２ｎは、出力制御手段２ｃによってリセットが行われないかぎり継続してカウント（計時）し、出力制御手段２ｃによる出力周期Ｔ３の経過判定に利用される。
【００３７】
図３は、配信サーバ３のハードウェア構成を示す図である。配信サーバ３は、携帯端末２の位置に対応したコンテンツ情報を送信する装置であり、物理的には、ＣＰＵ３１、ＲＯＭ３２、ＲＡＭ３３、入力デバイス３４、出力デバイス３５、データ送受信デバイスである通信モジュール３６及び補助記憶装置３７などを備える。
【００３８】
また、配信サーバ３は、図１に示されるように、機能的な構成としてコンテンツ情報記憶手段３ａ、送信周期設定手段３ｂ及び配信制御手段３ｃなどを備える。これらの各機能は、ＣＰＵ３１（図３参照）、ＲＡＭ３３等のハードウェア上に所定のソフトウェアを読み込ませることにより、ＣＰＵ３１の制御のもとで、通信モジュール３６、入力デバイス３４及び出力デバイス３５を動作させるとともにＲＡＭ３３におけるデータの読み出し及び書き込みを行うことで実現される。
【００３９】
コンテンツ情報記憶手段３ａには、複数の配信エリアそれぞれを特定するための情報が記憶されている。配信エリアは、例えば、特定の住所地やランドマークが含まれるようなエリアであったり、ショッピングセンターなどの特定の商業施設が含まれるようなエリアであったりする。配信エリアは、通信事業者などによって任意に決定され、配信エリアを特定するための境界情報は、通信事業者などによって任意に設定される。
【００４０】
さらに、コンテンツ情報記憶手段３ａには、複数の配信エリアそれぞれに対応したコンテンツ情報が記憶されている。コンテンツ情報には、配信エリア内で営業するレストラン、小売店、遊戯施設、公園または公共施設などの情報が広く含まれる。さらに、コンテンツ情報記憶手段３ａには、コンテンツ情報に対応して、そのコンテンツ情報によって情報提供される場所を特定するためのコンテンツ位置情報が記憶されている。コンテンツ位置情報とは、例えば、コンテンツ情報の提供元となるレストランや小売店、特定の公園や公共施設などの位置を特定するための情報である。
【００４１】
送信周期設定手段３ｂは、携帯端末２から周期的に送信される位置情報の送信周期Ｔ１を設定するために、送信周期Ｔ１の設定指示情報を携帯端末２に送信する。送信周期設定手段３ｂでは、位置情報の他に携帯端末２から測位周期Ｔ２に関する情報も受信している。そして、送信周期設定手段３ｂは、送信周期Ｔ１が測位周期Ｔ２よりも長くなるように送信周期Ｔ１の設定指示情報を携帯端末２に送信する。その結果として、測位の度に位置情報が送信される場合に比べて、携帯端末２の電池２９ａの消耗が抑えられる。
【００４２】
特に、送信周期設定手段３ｂは、携帯端末２の測位位置Ｐ（図８参照）から配信エリアＡｒまでの距離Ｄが所定の閾値Ｔｈ未満の場合には、送信周期Ｔ１を基準時間間隔となるように設定し、携帯端末２の測位位置Ｐから配信エリアＡｒまでの距離Ｄが所定の閾値Ｔｈ以上の場合には、基準時間間隔よりも長い時間間隔となるように送信周期Ｔを設定するための設定指示情報を携帯端末２に送信する。
【００４３】
配信制御手段３ｃは、携帯端末２から位置情報を取得したときに、位置情報から特定される緯度、経度、すなわち測位位置が複数の配信エリアのうち、いずれかの配信エリア内にあるか否かを判定する。そして、いずれかの配信エリア内にあると判定する場合には、測位位置を含む配信エリアを在圏エリアとして特定し、在圏エリアに対応するコンテンツ情報と、そのコンテンツ情報に対応したコンテンツ位置情報とをコンテンツ情報記憶手段３ａから抽出して携帯端末２に配信（送信）する。
【００４４】
次に、上記の配信システム１を利用して携帯端末２にコンテンツ情報を配信するための配信方法について図４及び図５を参照して説明する。図４は、携帯端末２と配信サーバ３との間で送受信される情報の流れを中心に示すシーケンスチャートである。図５は、携帯端末側での測位及び位置情報の送信、配信サーバ側でのコンテンツ情報の送信に係る動作手順を示すフローチャートである。
【００４５】
携帯端末２では、測位周期Ｔ２が予め設定されている。また、送信周期Ｔ１は、配信サーバ３からの設定指示に基づき、測位周期Ｔ２よりも長くなるように設定される。
【００４６】
測位手段２ｂはＴ２タイマ２ｍを監視（ステップＳ１１）しており、位置通知手段２ｅはＴ１タイマ２ｋを監視（ステップＳ１４）している。Ｔ２タイマ２ｍのカウント値が測位周期Ｔ２に到達すると、測位手段２ｂはＧＰＳ測位を実行して位置情報を取得する（ステップＳ１２）。その後、測位手段２ｂは、情報蓄積手段２ｄに位置情報と測位時刻とを対応付けて記憶させ、Ｔ２タイマ２ｍを初期値に戻すためにリセットする（ステップＳ１３）。
【００４７】
Ｔ１タイマのカウント値が送信周期Ｔ１に到達すると、位置通知手段２ｅは情報蓄積手段２ｄに記憶されている最新の位置情報を抽出し、配信サーバ３に送信する（ステップＳ１５）。この場合、位置情報と一緒に測位時刻や測位周期Ｔ２などの情報も送信する。
【００４８】
配信サーバ３の配信制御手段３ｃは、携帯端末２からの位置情報を取得すると（ステップＳ２１）、取得した位置情報から特定される緯度、経度、すなわち測位位置が複数の配信エリアのうち、いずれかの配信エリア内にあるか否かを判定する。測位位置が、いずれかの配信エリア内にあると判定する場合には、測位位置を含んでいる配信エリアを在圏エリアとして特定する。さらに、配信制御手段３ｃは、在圏エリアに対応したコンテンツ情報及びコンテンツ位置情報をコンテンツ情報記憶手段３ａから抽出して携帯端末２に配信（送信）する（ステップＳ２２）。なお、在圏エリアが無い場合には、在圏エリア無しという情報を携帯端末２に送信する。ステップＳ２１及びステップＳ２２は、コンテンツ情報送信ステップに相当する。
【００４９】
ここで配信サーバ３は、前回配信したコンテンツ情報と同一のコンテンツ情報を配信することになる場合には、一回分のコンテンツ情報の配信を中止するようにしてもよい。その結果として、重複したコンテンツ情報の配信を防止して効率的なコンテンツ情報の配信が可能になる。
【００５０】
携帯端末２では、配信サーバ３からコンテンツ情報とコンテンツ位置情報とを受信すると（ステップＳ１６）、出力制御手段２ｃが、受信したコンテンツ情報とコンテンツ位置情報とを対応付けて情報蓄積手段２ｄに記憶させる（ステップＳ１７）。
【００５１】
携帯端末２では、以上のステップＳ１１〜ステップＳ１７の各処理を繰り返し実行し、配信サーバ３では、ステップＳ２１及びステップＳ２２の各処理を実行する。すなわち、携帯端末２では、測位周期Ｔ２に沿った時間間隔で繰り返しＧＰＳ測位を実行し、送信周期Ｔ１に沿った時間間隔で繰り返し最新の位置情報を配信サーバ３に送信する。配信サーバ３では、携帯端末２から取得した位置情報に基づいて、測位位置を特定し、配信エリア内にあれば、その配信エリアを在圏エリアとして特定し、在圏エリアに対応したコンテンツ情報とコンテンツ位置情報とを携帯端末２に送信する。コンテンツ情報を受信した携帯端末２は、コンテンツ情報を受信時刻に対応付けて情報蓄積手段２ｄに記憶する。
【００５２】
次に、図６を参照し、携帯端末２でコンテンツ情報を出力する場合の動作手順について説明する。図６は、コンテンツ情報の出力に係る動作手順を示すフローチャートである。
【００５３】
携帯端末２では、測位周期Ｔ２よりも短くなるように出力周期Ｔ３が予め設定されている。例えば、測位周期Ｔ２が５分の場合、出力周期Ｔ３は１分に設定されている。
【００５４】
出力制御手段２ｃは、Ｔ３タイマ２ｎを監視しており、Ｔ３タイマ２ｎのカウント値が出力周期Ｔ３に到達する（ステップＳ３１）と、情報蓄積手段２ｄに記憶されている最新の位置情報に最も近いコンテンツ位置情報に対応するコンテンツ情報を抽出する（ステップＳ３２）。その後、出力制御手段２ｃは、抽出した新たなコンテンツ情報を画面に表示させるために、画面の表示切替を行い、その後、Ｔ３タイマ２ｎのリセットを行う。なお、出力制御手段２ｃは、情報蓄積手段２ｄに記憶された複数のコンテンツ情報のうち、最新の位置情報に最も近いコンテンツ位置情報に対応するコンテンツ情報の他に、最新の位置情報に近い順番でコンテンツ位置情報に対応したコンテンツ情報を抽出し、抽出した順番でコンテンツ情報を画面などの出力デバイス２５に表示させようにしてもよい。
【００５５】
次に、図７及び図８を参照し、送信周期の設定に関する動作手順について説明する。図７は、配信サーバでの送信周期の設定に関する動作手順を示すフローチャートである。また、図８は、測位位置と最寄りの配信エリアとの関係を示す図であり、（ａ）は測位位置から最寄りの配信エリアまでの距離が所定の閾値以上の場合を示し、（ｂ）は測位位置から最寄りの配信エリアまでの距離が所定の閾値未満の場合を示している。なお、この送信周期Ｔ１の設定は携帯端末２のユーザが車に乗って移動している状態を想定している。
【００５６】
携帯端末２から繰り返し位置情報が送信される（ステップＳ１５）。在圏エリアが存在しない場合、すなわち、携帯端末２がいずれの配信エリア内にも存在しない場合には、配信サーバ３の送信周期設定手段３ｂは、測位位置Ｐに最も近い配信エリアＡｒまでの距離Ｄ、例えば、配信エリアＡｒの境界までの距離Ｄを算出する（ステップＳ４２）。
【００５７】
その後、送信周期設定手段３ｂは、ステップＳ４２で算出した距離Ｄが所定の閾値Ｔｈ、例えば、４０ｋｍ以上の場合（図８（ａ）参照）には、送信周期Ｔ１として“Ａ”、例えば３０分を登録し（ステップＳ４４）、所定の閾値Ｔｈ未満の場合（図８（ｂ）参照）には、送信周期Ｔ１として“Ｂ”、例えば１０分を登録する。なお、“Ｂ”は携帯端末２の測位周期Ｔ２よりも長い時間間隔であり基準時間間隔に相当する。また、“Ａ”は“Ｂ”よりも長い時間間隔である。なお、本実施形態では、携帯端末２のユーザが車で移動している状態を想定している。この場合、例えば、その車が高速道路において時速８０ｋｍ／Ｈで走行していれば、３０分で４０ｋｍに到達する。そこで、閾値を４０ｋｍに設定し、長い方の送信周期Ｔ１の時間間隔である“Ａ”を３０分とし、短い方の送信周期Ｔ１の基準時間間隔である“Ｂ”を１０分とした。
【００５８】
その後、送信周期設定手段３ｂは、登録した送信周期Ｔ１を携帯端末２に設定させるために、送信周期Ｔ１の設定指示情報を携帯端末２に送信する（ステップＳ４６）。配信サーバ３では、ステップＳ４１〜ステップＳ４６の各処理を繰り返し実行する。ステップＳ４１〜ステップＳ４６までの各処理は、送信周期設定ステップに相当する。
【００５９】
携帯端末２の位置通知手段２ｅは、設定指示情報を受信する度に、設定指示情報に応じた送信周期Ｔ１となるように“Ａ”または“Ｂ”に設定する（ステップＳ５１）。
【００６０】
以上の配信サーバ３、携帯端末２、配信システム１及び配信方法によれば、携帯端末２から送信される位置情報の送信周期Ｔ１を配信サーバ３側で管理できるようになる。位置情報に対応したコンテンツ情報の送信は配信サーバ３が担っており、位置情報の送信周期Ｔ１を配信サーバ３側で管理できるようになると、携帯端末２に送信するコンテンツ情報と送信周期Ｔ１とを連動させて管理できるようになり、配信サーバ３では、コンテンツ情報を効率的に送信できるようになり、携帯端末２では、コンテンツ情報を効率的に受信できるようになる。そして特に、携帯端末２からの無駄な位置情報の送信を抑えることで、携帯端末２の電池２９ａの消耗やネットワーク通信の逼迫を軽減できる。
【００６１】
さらに、送信周期設定手段３ｂは、測位周期Ｔ２よりも長くなるように送信周期Ｔ１を設定している。したがって、携帯端末２で周期的に実行される測位のうち、一回の測位結果としての同じ位置情報が何度も配信サーバ３に送信されてしまうということが抑止され、同じコンテンツ情報が携帯端末２に何度も送信されてしまうことが軽減される。
【００６２】
さらに、上記の配信システム１では、携帯端末２の測位位置Ｐから最寄りの配信エリアＡｒまでの距離Ｄが所定の閾値Ｔｈ以上の場合には、送信周期Ｔ１を基準時間間隔“Ｂ”よりも長い“Ａ”に設定している。測位位置Ｐから最寄りの配信エリアＡｒまでの距離が所定の閾値Ｔｈ以上の場合には、所定の閾値未満の場合に比べて最寄りの配信エリアＡｒから遠いと判断でき、その分、最寄りの配信エリアＡｒに到達するまでの時間に余裕がある。したがって、所定の閾値Ｔｈ以上の場合に送信周期Ｔ１を基準時間間隔よりも長くすることで、携帯端末２からの無駄な位置情報の送信が少なくなり、効率的なコンテンツ情報の送信が可能になる。
【００６３】
さらに、本実施形態では、測位周期Ｔ２よりも短い出力周期Ｔ３でコンテンツ情報が出力されるため、測位周期Ｔ２よりも長い周期で出力するよりもコンテンツ情報の報知回数を増やすことができる。
【００６４】
次に、図９を参照して携帯端末２での測位周期Ｔ２の変更及び送信周期Ｔ１の変更に関する動作手順について説明する。図９は、電池残量に応じた測位周期Ｔ２の変更及び送信周期Ｔ１の変更に関する動作手順を示すフローチャートである。
【００６５】
携帯端末２では、電池残量検出手段２ｈが、定期的に電源ユニット２９の電池２９ａの残量を検出する（ステップＳ６１）。送信周期変更手段２ｇ及び測位周期変更手段２ｆは、電池残量検出手段２ｈによる検出値を監視している（ステップＳ６２）。
【００６６】
送信周期変更手段２ｇは、配信サーバ３からの指示によって既に設定されている送信周期Ｔ１を、電池残量に応じて設定変更する。すなわち、電池残量が多い場合には頻繁な送信を可能にするために送信周期Ｔ１を短くし、電池残量が少なくなってくると電池の消耗を抑えるための送信周期Ｔ１を長くする。また、測位周期変更手段２ｆは、送信周期変更手段２ｇによって設定変更された送信周期Ｔ１よりも測位周期Ｔ２が短くなるように測位周期Ｔ２を設定変更する。
【００６７】
具体的には、電池残量検出手段２ｈによる検出値が充電完了状態の１／２以上の場合には、送信周期変更手段２ｇは送信周期Ｔ１として“Ｃ”、例えば１０分になるように設定変更し、測位周期変更手段２ｆは測位周期Ｔ２として“Ｃ”よりも短い“Ｘ”、例えば５分になるように設定変更する（ステップＳ６３）。また、電池残量が充電完了状態の１／２未満、且つ、１／３以上の場合には、送信周期変更手段２ｇは送信周期Ｔ１として“Ｄ”、例えば３０分になるように設定変更し、測位周期変更手段２ｆは測位周期Ｔ２として“Ｄ”よりも短い“Ｙ”、例えば１５分になるように設定変更する（ステップＳ６４）。また、電池残量が充電完了状態の１／３未満の場合には、送信周期変更手段２ｇは送信周期Ｔ１として“Ｅ”、例えば６０分になるように設定変更し、測位周期変更手段２ｆは測位周期Ｔ２として“Ｅ”よりも短い“Ｚ”、例えば３０分になるように設定変更する（ステップＳ６５）。
【００６８】
以上のように、携帯端末２が、送信周期設定手段３ｂによって設定された送信周期Ｔ１を変更する送信周期変更手段２ｇと、送信周期変更手段２ｇによって設定変更された送信周期Ｔ１に応じて測位周期Ｔ２を設定変更する測位周期変更手段２ｆとを有すると、送信周期Ｔ１の設定変更と、設定変更された送信周期Ｔ１に応じた測位周期Ｔ２の設定変更が可能になり、携帯端末２での効率的なコンテンツ情報の受信が可能なる。
【００６９】
特に、携帯端末２は、電池残量検出手段２ｈを有し、送信周期変更手段２ｇは、電池残量検出手段２ｈによって検知された残量に応じて送信周期Ｔ１を設定変更し、測位周期変更手段２ｆは、送信周期変更手段２ｇによって設定変更された送信周期Ｔ１よりも短くなるように測位周期Ｔ２を設定変更している。このように、電池２９ａの残量に応じて送信周期Ｔ１が設定変更され、さらに、設定変更後の送信周期Ｔ１よりも短くなるように測位周期Ｔ２が変更される結果、携帯端末２の電池２９ａの消耗が最低限に抑えられ、電池の浪費防止に有効であり、１回の充電による携帯端末２の利用時間を延ばすことができる。なお、測位周期変更手段２ｆは、送信周期変更手段２ｇによって設定変更された送信周期Ｔ１と等しくなるように測位周期Ｔ２を設定変更するようにしてもよい。
【００７０】
また、本実施形態では、送信周期Ｔ１、測位周期Ｔ２、出力周期Ｔ３の順番で時間間隔が短くなっており、それぞれ独立して設定できる。その結果として、携帯端末２の電池２９ａの消耗とネットワーク負荷とを最低限に抑えながら、最新のコンテンツ情報のダウンロードと画面への適宜の表示が可能になる。
【００７１】
なお、本実施形態では、設定変更された送信周期Ｔ１に基づいて測位周期Ｔ２を設定変更していたが、逆に、測位周期Ｔ２を設定変更した後で、設定変更された測位周期Ｔ２に基づいて送信周期Ｔ１を設定変更するようにしてもよい。また、本実施形態では、送信周期Ｔ１よりも測位周期Ｔ２の方が、周期が短くなるように設定変更していたが、送信周期Ｔ１と測位周期Ｔ２とが同じ周期になるように設定変更してもよい。
【００７２】
次に、図１０を参照して携帯端末２でのコンテンツ情報の出力の変形例に関する動作手順について説明する。図１０は、ユーザの操作入力によってコンテンツ情報を画面に出力する場合の動作手順を示すフローチャートである。
【００７３】
携帯端末２の出力制御手段２ｃは、Ｔ３タイマ２ｎを監視している（ステップＳ７１）。ここで、出力制御手段２ｃは、Ｔ３タイマ２ｎのカウント値が出力周期Ｔ３に到達した場合には、情報蓄積手段２ｄに記憶されている最新のコンテンツ情報を抽出する（ステップＳ７３）。その後、出力制御手段２ｃは、抽出したコンテンツ情報を画面に表示させ（ステップＳ７４）、Ｔ３タイマ２ｎのリセットを行う（ステップＳ７５）。
【００７４】
また、出力制御手段２ｃは、Ｔ３タイマ２ｎのカウント値が出力周期Ｔ３に到達していない場合であっても、ユーザによる操作受付手段２ｊを用いた出力のための操作入力を受け付けると（ステップＳ７２）、情報蓄積手段２ｄに記憶されている最新の位置情報に最も近いコンテンツ位置情報に対応するコンテンツ情報を抽出する（ステップＳ７３）。その後、出力制御手段２ｃは、抽出したコンテンツ情報を画面に表示させ（ステップＳ７４）、Ｔ３タイマ２ｎのリセットを行う（ステップＳ７５）。
【００７５】
この変形例では、ユーザの入力操作に応じてコンテンツ情報が出力されるので、ユーザの利便性を高めることができ、さらに、ユーザの入力操作によってコンテンツ情報が出力されたときにＴ３タイマ２ｎがリセットされるので、コンテンツ情報が出力された直後に、出力周期Ｔ３の経過による同じコンテンツ情報の出力が防止される。
【００７６】
（第２実施形態）
次に、図１１及び図１２を参照し、第２実施形態に係る配信システム１Ｂについて説明する。なお、配信システム１Ｂ及び携帯端末２Ｂについて、第１実施形態に係る配信システム１及び携帯端末２と同一または同等の要素には図中及び明細書中で同じ符号を付し、その説明を省略する。また、本実施形態に係る配信サーバ３の構成は、第１実施形態に係る配信サーバ３と同一であるため、図中及び明細書中で同じ符号を付し、その説明を省略する。
【００７７】
図１１は、第２実施形態に係る配信システム１Ｂの機能的構成を示す図である。図１１に示されるように、配信システム１Ｂは、携帯端末２Ｂ及び配信サーバ３を備えている。
【００７８】
携帯端末２Ｂは、第１実施形態に係る携帯端末２と同様に、機能的な構成として通信手段２ａ、測位手段２ｂ、出力制御手段２ｃ、情報蓄積手段２ｄ、位置通知手段２ｅ、測位周期変更手段２ｆ、送信周期変更手段２ｇ、電池残量検出手段２ｈ、操作受付手段２ｊ、Ｔ１タイマ２ｋ、Ｔ２タイマ２ｍ及びＴ３タイマ２ｎを備える。さらに、携帯端末２Ｂは、端末開閉検出手段２ｐを備えている。
【００７９】
端末開閉検出手段２ｐは、コンテンツ情報を出力している開状態、具体的には、携帯端末２Ｂを開いて出力デバイス２５からコンテンツ情報が表示されている状態か、または、コンテンツ情報の出力を停止している閉状態、具体的には、携帯端末２Ｂを閉じて出力デバイス２５からコンテンツ情報が表示されていない状態か、を検出する。
【００８０】
次に、図１２を参照して携帯端末２Ｂでの測位周期Ｔ２の変更及び送信周期Ｔ１の変更に関する動作手順について説明する。図１２は、携帯端末２Ｂの開閉状態に応じた測位周期Ｔ２の変更及び送信周期Ｔ１の変更に関する動作手順を示すフローチャートである。
【００８１】
携帯端末２Ｂでは、端末開閉検出手段２ｐが携帯端末２Ｂの開閉状態を検出しており、送信周期変更手段２ｇ及び測位周期変更手段２ｆは、端末開閉検出手段２ｐによって検出された開閉状態を監視している（ステップＳ８１）。
【００８２】
測位周期変更手段２ｆは、既に設定されている測位周期Ｔ２を、端末開閉検出手段２ｐの開閉状態に応じて設定変更する。すなわち、端末開閉検出手段２ｐが開状態の場合には、頻繁な送信を可能にするために測位周期Ｔ２を短くし（ステップＳ８２）、端末開閉検出手段２ｐが閉状態の場合には、不要な動作処理に伴う電池の消耗を抑えるために測位周期Ｔ２を長くする（ステップＳ８３）。また、送信周期変更手段２ｇは、測位周期変更手段２ｆによって設定変更された測位周期Ｔ２よりも送信周期Ｔ１が長くなるように送信周期Ｔ１を設定変更する（ステップＳ８２、ステップＳ８３）。
【００８３】
具体的には、端末開閉検出手段２ｐが開状態の場合には、測位周期変更手段２ｆは測位周期Ｔ２として“Ｘ”、例えば５分になるように設定変更し、送信周期変更手段２ｇは送信周期Ｔ１として“Ｘ”よりも長い“Ｃ”、例えば１０分になるように設定変更する（ステップＳ８２）。また、端末開閉検出手段２ｐが閉状態の場合には、測位周期変更手段２ｆは測位周期Ｔ２として“Ｙ”、例えば１５分になるように設定変更し、送信周期変更手段２ｇは送信周期Ｔ１として“Ｙ”よりも長い“Ｄ”、例えば３０分になるように設定変更する（ステップＳ８３）。
【００８４】
以上のように、携帯端末２Ｂでは、開閉状態に応じて測位周期Ｔ２及び送信周期Ｔ１を設定変更できる。従って、例えば、閉状態であれば、コンテンツ情報の出力を停止しているため、開状態に比べて測位周期Ｔ２を長くするように設定変更できる。そして、測位周期Ｔ２の設定変更に合わせて送信周期Ｔ１を長くする設定変更を行うことにより、所定時間あたりの送信回数を減らして電池の消耗を抑えつつ、効率的な測位も行うことができる。
【００８５】
なお、本実施形態では、測位周期Ｔ２を設定変更した後で、設定変更された測位周期Ｔ２に基づいて送信周期Ｔ１を設定変更していたが、逆に、送信周期Ｔ１を設定変更した後で、設定変更された送信周期Ｔ１に基づいて測位周期Ｔ２を設定変更するようにしてもよい。また、本実施形態では、測位周期Ｔ２よりも送信周期Ｔ１の方が、周期が長くなるように設定変更していたが、測位周期Ｔ２と送信周期Ｔ１とが同じ周期であってもよい。
【００８６】
（第３実施形態）
次に、図１３、図１４及び図１５を参照し、第３実施形態に係る配信システム１Ｃについて説明する。なお、配信システム１Ｃ及び携帯端末２Ｃについて、第１実施形態に係る配信システム１及び携帯端末２と同一または同等の要素には図中及び明細書中で同じ符号を付し、その説明を省略する。また、本実施形態に係る配信サーバ３の構成は、第１実施形態に係る配信サーバ３と同一であるため、図中及び明細書中で同じ符号を付し、その説明を省略する。
【００８７】
図１３は、第３実施形態に係る配信システム１Ｃの機能的構成を示す図である。図１３に示されるように、配信システム１Ｃは、携帯端末２Ｃ及び配信サーバ３を備えている。
【００８８】
携帯端末２Ｃは、第１実施形態に係る携帯端末２と同様に、機能的な構成として通信手段２ａ、測位手段２ｂ、出力制御手段２ｃ、情報蓄積手段２ｄ、位置通知手段２ｅ、測位周期変更手段２ｆ、送信周期変更手段２ｇ、電池残量検出手段２ｈ、操作受付手段２ｊ、Ｔ１タイマ２ｋ、Ｔ２タイマ２ｍ及びＴ３タイマ２ｎを備える。さらに、携帯端末２Ｃは、測位履歴蓄積手段２ｒ、移動速度推定手段２ｓ及び周期判定テーブル記憶手段２ｔを備えている。
【００８９】
情報蓄積手段２ｄは、過去の測位の時刻情報と位置情報とを対応付けて測位履歴として蓄積する機能を有し、測位履歴蓄積手段に相当する。
【００９０】
移動速度推定手段２ｓは、携帯端末２Ｃの移動速度を絶対速度または相対速度として推定する機能を有する。移動速度の推定方法としては、例えば、ＧＰＳ測位履歴を用いた方法、接続先基地局（セル）の切り替わり頻度に基づく方法またはフェーシングの時間変動に基づく方法などが適用可能である。ＧＰＳ測位履歴を用いた方法では、元々ＧＰＳ定期測位を行うシステムなので、実装が容易というメリットがある。一方で、この方法では、準静止状態（例えば、移動速度が２ｋｍ／ｈ未満）からの移動速度変化に対する追随性が低いというデメリットがある。また、接続先基地局（セル）の切り替わり頻度に基づく方法は、速度推定がＧＰＳ測位周期に依存しないため、速度変化に対する追随性が比較的高いというメリットがある。一方で、この方法では、基地局によってセル半径が異なるため、移動速度の推定精度が粗くなってしまうというデメリットがある。また、フェーシングの時間変動に基づく方法は、速度変化を常に監視できるというメリットがある。一方で、この方法では、低速度域における移動速度推定精度が粗くなってしまうというデメリットがある。移動速度の推定方法については、上記のメリット及びデメリットを勘案の上、適宜に決定できる。
【００９１】
図１５に示されるように、周期判定テーブル記憶手段２ｔは、周期判定テーブルＴａ１を記憶している。周期判定テーブルＴａ１には、携帯端末２Ｃの推定移動速度と測位周期及び送信周期とが対応付けて記憶されている。例えば、推定移動速度が準静止状態の場合には、測位周期は１０分、送信周期は１５分と規定されている。また、推定移動速度が２ｋｍ／ｈ以上、１０ｋｍ／ｈ未満の場合には、測位周期は６分、送信周期は１１分と規定され、推定移動速度が１０ｋｍ／ｈ以上、６０ｋｍ／ｈ未満の場合には、測位周期は３分、送信周期は８分と規定され、推定移動速度が６０ｋｍ／ｈ以上の場合には、測位周期は１分、送信周期は６分と規定されている。なお、本実施形態では、測位周期よりも送信周期の方が、周期が長くなるように規定されているが、測位周期と送信周期とが同じ周期であってもよい。
【００９２】
次に、図１４を参照して携帯端末２Ｃでの測位周期の変更及び送信周期の変更に関する動作手順について説明する。図１４は、携帯端末２Ｃの推定移動速度に応じた測位周期の変更及び送信周期の変更に関する動作手順を示すフローチャートである。
【００９３】
携帯端末２Ｃでは、移動速度推定手段２ｓが情報蓄積手段２ｄによって蓄積された測位履歴のうち、最近の複数の測位履歴から携帯端末２Ｃの移動速度を推定する（ステップＳ９１）。
【００９４】
例えば、図１６（ａ）に示されるように、携帯端末２Ｃが前回の測位位置Ｐ１から最新の測位位置Ｐ０まで移動したと仮定する。ここで、測位位置Ｐ１から測位位置Ｐ０までの距離は“ｄ”であり、測位位置Ｐ１の測位時刻は“Ｔｍ１”であり、測位位置Ｐ２の測位時刻は“Ｔｍ０”である。この場合の推定移動速度Ｖは、以下の式（１）から求められる。
Ｖ＝ｄ／（Ｔｍ０−Ｔｍ１）    ・・（１）
【００９５】
また、図１６（ｂ）に示されるように、携帯端末２Ｃが前々回の測位位置Ｐ２〜前回の測位位置Ｐ１まで移動し、さらに、最新の測位位置Ｐ０まで移動したと仮定する。ここで、測位位置Ｐ２から測位位置Ｐ１までの距離は“ｄ１”であり、測位位置Ｐ１から測位位置Ｐ０までの距離は“ｄ２”である。また、測位位置Ｐ２の測位時刻は“Ｔｍ２”、測位位置Ｐ１の測位時刻は“Ｔｍ１”及び測位位置Ｐ０の測位時刻は“Ｔｍ０”である。この場合の推定移動速度Ｖは、以下の式（２）から求められる。
Ｖ＝｛ｄ０／（Ｔｍ０−Ｔｍ１）+ｄ１／（Ｔｍ１−Ｔｍ２）｝/２    ・・（２）
【００９６】
次に、測位周期変更手段２ｆは、既に設定されている測位周期を、移動速度推定手段２ｓによって推定された移動速度に応じて設定変更する。すなわち、測位周期変更手段２ｆは、周期判定テーブル記憶手段２ｔに記憶されている周期判定テーブル２ｔを参照し、推定移動速度を検索キーに設定して測位周期を抽出し、抽出した測位周期となるように設定変更する。
【００９７】
具体的には、測位周期変更手段２ｆは、推定移動速度が準静止状態、すなわち２ｋｍ／ｈ未満の場合には（ステップＳ９２）、測位周期が１０分となるように設定変更する（ステップＳ９３）。また、推定移動速度が準静止状態ではないが、２ｋｍ／ｈ以上で、１０ｋｍ／ｈ未満の場合には、測位周期が６分となるように設定変更する（ステップＳ９５）。また、推定移動速度が準静止状態ではなく、１０ｋｍ／ｈ以上で、６０ｋｍ／ｈ未満の場合には、測位周期が３分となるように設定変更する（ステップＳ９６）。また、推定移動速度が準静止状態ではなく、６０ｋｍ／ｈ以上の場合には、測位周期が１分となるように設定変更する（ステップＳ９７）。
【００９８】
また、送信周期変更手段２ｇは、既に設定されている送信周期を、移動速度推定手段２ｓによって推定された移動速度に応じて設定変更する。すなわち、送信周期変更手段２ｇは、周期判定テーブル記憶手段２ｔに記憶されている周期判定テーブル２ｔを参照し、推定移動速度を検索キーに設定して送信周期を抽出し、抽出した送信周期となるように設定変更する。
【００９９】
具体的には、送信周期変更手段２ｇは、推定移動速度が準静止状態、すなわち２ｋｍ／ｈ未満の場合には（ステップＳ９２）、送信周期が測位周期“１０分”よりも長くなるように１５分に設定変更する（ステップＳ９３）。また、推定移動速度が準静止状態ではないが、２ｋｍ／ｈ以上で、１０ｋｍ／ｈ未満の場合には、送信周期が測位周期“６分”よりも長くなるように１１分に設定変更する（ステップＳ９５）。また、推定移動速度が準静止状態ではなく、１０ｋｍ／ｈ以上で、６０ｋｍ／ｈ未満の場合には、送信周期が測位周期“３分”よりも長くなるように８分に設定変更する（ステップＳ９５）。また、推定移動速度が準静止状態ではなく、６０ｋｍ／ｈ以上の場合には、送信周期が測位周期“１分”よりも長くなるように６分に設定変更する（ステップＳ９７）。
【０１００】
なお、本実施形態では、送信周期が測位周期よりも周期が長くなるように設定変更しているが、送信周期と測位周期との周期が同じになるように設定変更してもよい。
【０１０１】
なお、上述の説明では、ＧＰＳ測位履歴を用いた移動速度の推定方法を例にして測位周期や送信周期の設定変更について説明したが、接続先基地局（セル）の切り替わり頻度に基づく方法で移動速度を推定し、その推定移動速度に応じて測位周期や送信周期の設定変更を行ったり、フェージングの時間変更に基づく方法で移動速度を推定し、その推定移動速度に応じて測位周期や送信周期の設定変更を行ったりしてもよい。
【０１０２】
例えば、図１７（ａ）に示されるように、セル切り替わり頻度に推定移動速度と測位周期とを対応付けた周期判定テーブルＴａ２を周期判定テーブル記憶手段２ｔに記憶しておき、例えば、移動速度推定手段２ｓは、セル切り替わり頻度が毎分、Ｎ回以上の場合には周期判定テーブルＴａ２を参照して相対的な速度として高速移動と推定し、セル切り替わり頻度が毎分、Ｎ回未満の場合には周期判定テーブルＴａ２を参照して相対的な速度として低速移動と推定する。次に、測位周期変更手段２ｆは、高速または低速移動に対応する測位周期“α１”または“α２”となるように、測位周期を設定変更する。一方で、送信周期変更手段２ｇは、測位周期変更手段２ｆによって設定変更された測位周期と同じ周期、または周期が長くなるように送信周期を設定変更する。なお、周期判定テーブルＴａ２に、推定移動速度に対応付けて送信周期が規定されている場合には、先に送信周期の設定変更を行い、設定変更された送信周期と同じ周期、または周期が短くなるように測位周期を設定変更するようにしてもよい。
【０１０３】
また、図１７（ｂ）に示されるように、フェージング時間変動に推定移動速度と測位周期とを対応付けた周期判定テーブルＴａ３を周期判定テーブル記憶手段２ｔに記憶しておき、例えば、移動速度推定手段２ｓは、周期判定テーブルＴａ２を参照して、フェージング時間変動が第１の閾値“Ｌ２”以上の場合には、高速（１５０ｋｍ／ｈ以上）と推定し、第１の閾値“Ｌ２”未満で第２の閾値“Ｌ１”以上の場合には、中速（１５０ｋｍ／ｈ未満で、６０ｋｍ／ｈ以上）と推定し、第２の閾値“Ｌ１”未満の場合には、低速（６０ｋｍ／ｈ未満）と推定する。次に、測位周期変更手段２ｆは、推定移動速度が高速と推定された場合には、測位周期“β１分”となるように測位周期を設定変更し、推定移動速度が中速と推定された場合には、測位周期“β２分”となるように測位周期を設定変更し、推定移動速度が低速と推定された場合には、測位周期“β３分”となるように測位周期を設定変更する。この場合、送信周期変更手段２ｇは、測位周期変更手段２ｆによって設定変更された測位周期と同じ周期、または周期が長くなるように送信周期を設定変更する。周期判定テーブルＴａ２に、推定移動速度に対応付けて送信周期が規定されている場合には、先に送信周期の設定変更を行い、設定変更された送信周期と同じ周期、または周期が短くなるように測位周期を設定変更するようにしてもよい。
【０１０４】
以上のように、携帯端末２Ｃでは、推定移動速度に応じて測位周期及び送信周期を設定変更できる。従って、例えば、最近の複数の測位履歴から推定した現在の移動速度と過去に推定した移動速度とを比較して、現在の移動速度の方が速ければ、測位位置の変化が早くなるため、測位周期を短くするように設定変更する。しかも、測位周期の設定変更に合わせて送信周期も短くする設定変更を行うことにより、精度の高い測位と、効率的なコンテンツ情報の受信が可能になる。
【０１０５】
なお、本発明は、上記の実施形態のみに限定されない。例えば、本実施形態ではコンテンツ情報の出力が周期的に行われる態様を例にして説明したが、コンテンツ情報の出力は不定期に行われるようにしてもよい。例えば、折り畳み型の携帯電話などで、携帯電話を閉じた状態ではコンテンツ情報の表示は行わず、携帯電話を開いたときにのみ最新のコンテンツ情報を表示するようにしてもよい。
【図面の簡単な説明】
【０１０６】
【図１】本発明の第１実施形態に係る配信システムの機能的構成を示す図である。
【図２】本発明の実施形態に係る携帯端末のハードウェア構成を示す図である。
【図３】本発明の実施形態に係る配信サーバのハードウェア構成を示す図である。
【図４】携帯端末と配信サーバとの間で送受信される情報の流れを中心して示すシーケンスチャートである。
【図５】携帯端末での周期的な測位と周期的な位置情報の送信とに関する動作手順を示すフローチャートである。
【図６】携帯端末でのコンテンツ情報の出力に関する動作手順を示すフローチャートである。
【図７】配信サーバでの送信周期の設定に関する動作手順を示すフローチャートである。
【図８】測位位置から配信エリアまでの距離と所定の閾値との関係を示す図であり、（ａ）は測位位置から配信エリアまでの距離が閾値以上の場合を示し、（ｂ）は測位位置から配信エリアまでの距離が閾値未満の場合を示す。
【図９】電池残量に応じた送信周期の設定変更及び測位周期の設定変更に関する動作手順を示すフローチャートである。
【図１０】コンテンツ情報の出力の変形例に関する動作手順を示すフローチャートである。
【図１１】本発明の第２実施形態に係る配信システムの機能的構成を示す図である。
【図１２】携帯端末の開閉状態に応じた送信周期の設定変更及び測位周期の設定変更に関する動作手順を示すフローチャートである。
【図１３】本発明の第３実施形態に係る配信システムの機能的構成を示す図である。
【図１４】携帯端末の推定移動速度に応じた送信周期の設定変更及び測位周期の設定変更に関する動作手順を示すフローチャートである。
【図１５】周期判定テーブル記憶手段を示す図である。
【図１６】移動速度の推定方法を説明するための図である。
【図１７】周期判定テーブルの例を示し、（ａ）は、接続先基地局（セル）の切り替わり頻度に基づく移動速度推定方法に対応した周期判定テーブルを示す図であり、（ｂ）は、フェージングの時間変動に基づく移動速度推定方法に対応した周期判定テーブルを示す図である。
【符号の説明】
【０１０７】
１…配信システム、２…携帯端末（移動局）、２ｃ…出力制御手段、２ｄ…情報蓄積手段（測位履歴蓄積手段）、２ｆ…測位周期変更手段、２ｇ…送信周期変更手段、２ｈ…電池残量検出手段、２ｋ…操作受付手段、２ｐ…端末開閉検出手段、２ｓ…移動速度推定手段、３…配信サーバ、３ｂ…送信周期設定手段、３ｃ…配信制御手段。
【図１】
0005337449.tif 000002
【図２】
0005337449.tif 000003
【図３】
0005337449.tif 000004
【図４】
0005337449.tif 000005
【図５】
0005337449.tif 000006
【図６】
0005337449.tif 000007
【図７】
0005337449.tif 000008
【図８】
0005337449.tif 000009
【図９】
0005337449.tif 000010
【図１０】
0005337449.tif 000011
【図１１】
0005337449.tif 000012
【図１２】
0005337449.tif 000013
【図１３】
0005337449.tif 000014
【図１４】
0005337449.tif 000015
【図１５】
0005337449.tif 000016
【図１６】
0005337449.tif 000017
【図１７】
0005337449.tif 000018